(57)【要約】【課題】コネクタにより伝送する複数対の差動信号のクロストークを抑制する。【解決手段】コネクタにおいて、第１の端子群Ｇ１の各端子１１〜１４の接触部３１は嵌合部の下段における左側に配置され、第２の端子群Ｇ２の各端子１５〜１８の接触部３１は嵌合部の下段における右側に配置され、第３の端子群Ｇ３の各端子１９〜２２の接触部３１は嵌合部の上段に配置されている。各端子１１〜１４において接続部３２は接触部３１よりも左方に変位し、各端子１５〜１８において接続部３２は接触部３１よりも右方に変位し、各端子１９、２０において接続部３２は接触部３１よりも右方に変位し、各端子２１、２２において接続部３２は接触部３１よりも左方に変位している。また、端子１４の接続部３２と端子１５の接続部３２との間に端子１９〜２２の接続部３２が配置されることにより、端子１１〜２２の接続部３２が左右方向に一列に配置されている。【選択図】図７
2019192603.tif 000002
【特許請求の範囲】
【請求項１】
前端側には相手コネクタの端子と接触する接触部がそれぞれ形成され、後端側には基板の回路に接続される接続部がそれぞれ形成され、左右方向にそれぞれ隣接し、かつ左右方向に一列に配置された複数の端子からなる第１の端子群、第２の端子群および第３の端子群を少なくとも含む複数の端子群と、前記複数の端子群を収容するハウジングとを備え、
前記第１の端子群の各端子の前記接触部は上下方向の第１段に配置され、前記第２の端子群の各端子の前記接触部は前記第１段において前記第１の端子群のいずれの端子の前記接触部よりも右側に配置され、前記第３の端子群の各端子の前記接触部は上下方向の第２段に配置され、
前記第１の端子群において少なくとも最も右側に配置された端子の前記接続部は当該端子の接触部よりも左側に変位し、前記第２の端子群において少なくとも最も左側に配置された端子の前記接続部は当該端子の接触部よりも右側に変位し、前記第３の端子群において少なくとも最も左側および最も右側にそれぞれ配置された２本の端子のうちの一方の端子の接続部は当該２本の端子の接続部間の距離が当該２本の端子の接触部間の距離よりも短くなるように変位し、
前記第１の端子群において最も右側に配置された端子の接続部と前記第２の端子群において最も左側に配置された端子の接続部との間に前記第３の端子群の各端子の接続部が配置されることにより、前記第１、第２および第３の端子群のそれぞれの端子の接続部が左右方向に一列に配置されていることを特徴とするコネクタ。
【請求項２】
前記第１の端子群の各端子において前記接触部と前記接続部との間には前記接触部の側から前記接続部の側へ向かって左に傾斜する左傾斜部が形成され、前記第２の端子群の各端子において前記接触部と前記接続部との間には前記接触部の側から前記接続部の側へ向かって右に傾斜する右傾斜部が形成されていることを特徴とする請求項１に記載のコネクタ。
【請求項３】
前記第１、第２および第３の端子群の各端子を左方または右方から見たときに、前記第１、第２および第３の端子群の各端子は、前記接触部および前記接続部がそれぞれ前後方向に伸長し、前記接触部と前記接続部との間に上下方向に伸長する上下伸長部を有する略クランク形に形成され、前記第３の端子群の各端子の前記接触部は、前記第１および第２の端子群の各端子の前記接触部よりも上方に位置し、前記第３の端子群の各端子の前記上下伸長部は、前記第１および第２の端子群の各端子の前記上下伸長部よりも後方に位置し、前記第１の端子群の各端子において、前記左傾斜部は前記上下伸長部に形成され、前記第２の端子群の各端子において、前記右傾斜部は前記上下伸長部に形成されていることを特徴とする請求項２に記載のコネクタ。
【請求項４】
前記第１、第２および第３の端子群の各端子において、前記接続部は前記接触部よりも左右方向の寸法が小さいことを特徴とする請求項１ないし３のいずれかに記載のコネクタ。
【請求項５】
前記第１および第２の端子群の各端子の左右方向の寸法はそれぞれ略等しく、記第３の端子群に含まれる少なくとも１本の端子の左右方向の寸法は、前記第１および第２の端子群のいずれの端子の左右方向の寸法よりも大きいことを特徴とする請求項１ないし４のいずれかに記載のコネクタ。
【請求項６】
前記ハウジングの前側には相手コネクタの嵌合部と嵌合する嵌合部が設けられ、
前記ハウジングを前方から見たとき、前記嵌合部は上底が下底よりも短い略台形状に形成され、
前記第１および第２の端子群の各端子の前記接触部は前記嵌合部の下底側に配置され、前記第３の端子群の各端子の前記接触部は前記嵌合部の上底側に配置され、
前記第１の端子群において最も左側に配置された端子の前記接触部は前記第３の端子群において最も左側に配置された端子の前記接触部よりも左方に位置し、
前記第２の端子群において最も右側に配置された端子の前記接触部は前記第３の端子群において最も右側に配置された端子の前記接触部よりも右方に位置し、
前記第３の端子群において最も左側および最も右側にそれぞれ配置された端子の前記接触部の左右方向の寸法は、前記第３の端子群の他の端子並びに前記第１および第２の端子群の複数の端子のうちのいずれの端子の前記接触部の左右方向の寸法よりも大きいことを特徴とする請求項１ないし５のいずれかに記載のコネクタ。
【請求項７】
前記第１および第２の端子群の各端子の前記接触部、および前記第３の端子群において最も左側および最も右側にそれぞれ配置された端子を除く各端子の前記接触部の左右方向の寸法はそれぞれ等しいことを特徴とする請求項６に記載のコネクタ。
【請求項８】
前記第１および第２の端子群のそれぞれの端子の前記接触部はそれぞれ等しい間隔を置いて配置され、
前記第３の端子群において中央に配置された互いに隣接する一対の端子の前記接触部は、前記第１および第２の端子群のそれぞれの端子の前記接触部の間隔と等しい間隔を置いて配置され、
前記第３の端子群において最も左側および最も右側に配置されたそれぞれの端子の左右方向の寸法は、前記第１および第２の端子群の各端子の前記接触部の左右方向の寸法の２倍の値に、前記第１および第２の端子群のそれぞれの端子の前記接触部の間隔の大きさを加えた値と略等しいことを特徴とする請求項７に記載のコネクタ。
【請求項９】
前記第１の端子群は、互いに隣接する一対の第１の信号端子、および当該一対の第１の信号端子の両側に配置された一対の第１のグランド端子からなり、
前記第２の端子群は、互いに隣接する一対の第２の信号端子、および当該一対の第２の信号端子の両側に配置された一対の第２のグランド端子からなり、
前記第３の端子群は、互いに隣接する一対の第３の信号端子、当該一対の第３の信号端子の一側に配置された電源端子、および当該一対の第３の信号端子の他側に配置された第３のグランド端子からなることを特徴とする請求項１ないし８のいずれかに記載のコネクタ。
【発明の詳細な説明】
【技術分野】
【０００１】
本発明は複数の端子を有するコネクタに関する。
【背景技術】
【０００２】
近時、例えば、映像および音声の再生並びに通信等の機能を有する複合装置に対し、複数の信号の高速伝送を一括して行う技術が求められている。このような技術の分野において、複数対の差動信号の並列伝送を行うことができるコネクタが知られている。差動信号を伝送するためには、互いに隣接する一対の信号端子と、当該一対の信号端子の両側に配置された一対のグランド端子とからなる端子群をコネクタに設けることが望ましい。複数対の差動信号の並列伝送を行うことができるコネクタには、このような端子群が複数設けられている。例えば、下記の特許文献１には、このような構成を有するコネクタが記載されている。
【先行技術文献】
【特許文献】
【０００３】
【特許文献１】特開２０１５−１５８９９２号公報
【発明の概要】
【発明が解決しようとする課題】
【０００４】
上記特許文献１に記載のコネクタには、同文献の図５に示されているように、互いに隣接する一対の信号コンタクトと、当該一対の信号コンタクトの両側に配置された一対のグランドコンタクトからなるコンタクト群が複数設けられており、当該コネクタにより複数対の差動信号を伝送することができる。
【０００５】
しかしながら、このコネクタにおいては、同文献の図２および図４に示されているように、コネクタの後部において、それぞれのコンタクト群を構成する複数本のコンタクトの後端側が狭い間隔をもって配置されている。この結果、一対の差動信号を伝送する信号コンタクトの対と、他の一対の差動信号を伝送する信号コンタクトの対とが互いに接近している。このため、コネクタの後部において、複数対の差動信号間のクロストークが発生し易いという問題がある。
【０００６】
また、特許文献１に記載のコネクタにおいては、複数本のコンタクトの後端に設けられた端子部（コンタクトを基板の回路に接続する部分）が狭い間隔をもって配置されている。この結果、一対の差動信号を伝送する端子部の対と、他の一対の差動信号を伝送する端子部の対とが互いに接近している。それゆえ、このコネクタが実装される基板においては、コネクタのそれぞれの端子部に接続される複数の回路パターンが狭い間隔をもって配置されることとなり、一対の差動信号を伝送する回路パターンの対と、他の一対の差動信号を伝送する回路パターンの対とが互いに接近することとなる。このため、基板の回路において、複数対の差動信号間のクロストークが発生し易くなるという問題がある。
【０００７】
本発明は例えば上述したような問題に鑑みなされたものであり、本発明の課題は、複数対の差動信号のクロストークを抑制することができるコネクタを提供することにある。
【課題を解決するための手段】
【０００８】
上記課題を解決するために、本発明のコネクタは、前端側には相手コネクタの端子と接触する接触部がそれぞれ形成され、後端側には基板の回路に接続される接続部がそれぞれ形成され、左右方向にそれぞれ隣接し、かつ左右方向に一列に配置された複数の端子からなる第１の端子群、第２の端子群および第３の端子群を少なくとも含む複数の端子群と、複数の端子群を収容するハウジングとを備え、第１の端子群の各端子の接触部は上下方向の第１段に配置され、第２の端子群の各端子の接触部は第１段において第１の端子群のいずれの端子の接触部よりも右側に配置され、第３の端子群の各端子の接触部は上下方向の第２段に配置され、第１の端子群において少なくとも最も右側に配置された端子の接続部は当該端子の接触部よりも左側に変位し、第２の端子群において少なくとも最も左側に配置された端子の接続部は当該端子の接触部よりも右側に変位し、第３の端子群において少なくとも最も左側および最も右側にそれぞれ配置された２本の端子のうちの一方の端子の接続部は当該２本の端子の接続部間の距離が当該２本の端子の接触部間の距離よりも短くなるように変位し、第１の端子群において最も右側に配置された端子の接続部と第２の端子群において最も左側に配置された端子の接続部との間に第３の端子群の各端子の接続部が配置されることにより、第１、第２および第３の端子群のそれぞれの端子の接続部が左右方向に一列に配置されていることを特徴とする。
【０００９】
また、上記本発明のコネクタにおいて、第１の端子群の各端子において接触部と接続部との間には接触部の側から接続部の側へ向かって左に傾斜する左傾斜部が形成され、第２の端子群の各端子において接触部と接続部との間には接触部の側から接続部の側へ向かって右に傾斜する右傾斜部が形成されている構成としてもよい。
【００１０】
また、上記本発明のコネクタにおいて、第１、第２および第３の端子群の各端子を左方または右方から見たときに、第１、第２および第３の端子群の各端子は、接触部および接続部がそれぞれ前後方向に伸長し、接触部と接続部との間に上下方向に伸長する上下伸長部を有する略クランク形に形成され、第３の端子群の各端子の接触部は、第１および第２の端子群の各端子の接触部よりも上方に位置し、第３の端子群の各端子の上下伸長部は、第１および第２の端子群の各端子の上下伸長部よりも後方に位置し、第１の端子群の各端子において、左傾斜部は上下伸長部に形成され、第２の端子群の各端子において、右傾斜部は上下伸長部に形成されている構成としてもよい。
【００１１】
また、上記本発明のコネクタの第１、第２および第３の端子群の各端子において、接続部は接触部よりも左右方向の寸法が小さい構成としてもよい。
【００１２】
また、上記本発明のコネクタにおいて、第１および第２の端子群の各端子の左右方向の寸法はそれぞれ略等しく、記第３の端子群に含まれる少なくとも１本の端子の左右方向の寸法は、第１および第２の端子群のいずれの端子の左右方向の寸法よりも大きい構成としてもよい。
【００１３】
また、上記本発明のコネクタにおいて、ハウジングの前側には相手コネクタの嵌合部と嵌合する嵌合部が設けられ、ハウジングを前方から見たとき、嵌合部は上底が下底よりも短い略台形状に形成され、第１および第２の端子群の各端子の接触部は嵌合部の下底側に配置され、第３の端子群の各端子の接触部は嵌合部の上底側に配置され、第１の端子群において最も左側に配置された端子の接触部は第３の端子群において最も左側に配置された端子の接触部よりも左方に位置し、第２の端子群において最も右側に配置された端子の接触部は第３の端子群において最も右側に配置された端子の接触部よりも右方に位置し、第３の端子群において最も左側および最も右側にそれぞれ配置された端子の接触部の左右方向の寸法は、第３の端子群の他の端子並びに第１および第２の端子群の複数の端子のうちのいずれの端子の接触部の左右方向の寸法よりも大きい構成としてもよい。
【００１４】
上記本発明のコネクタにおいて、第１および第２の端子群の各端子の接触部、および第３の端子群において最も左側および最も右側にそれぞれ配置された端子を除く各端子の接触部の左右方向の寸法はそれぞれ等しい所定値に設定されている構成としてもよい。
【００１５】
上記本発明のコネクタにおいて、第１および第２の端子群のそれぞれの端子の接触部はそれぞれ等しい間隔を置いて配置され、第３の端子群において中央に配置された互いに隣接する一対の端子の接触部は、第１および第２の端子群のそれぞれの端子の接触部の間隔と等しい間隔を置いて配置され、第３の端子群において最も左側および最も右側に配置されたそれぞれの端子の左右方向の寸法は、第１および第２の端子群の各端子の接触部の左右方向の寸法の２倍の値に、第１および第２の端子群のそれぞれの端子の接触部の間隔の大きさを加えた値と略等しい構成としてもよい。
【００１６】
上記本発明のコネクタにおいて、第１の端子群は、互いに隣接する一対の第１の信号端子、および当該一対の第１の信号端子の両側に配置された一対の第１のグランド端子からなり、第２の端子群は、互いに隣接する一対の第２の信号端子、および当該一対の第２の信号端子の両側に配置された一対の第２のグランド端子からなり、第３の端子群は、互いに隣接する一対の第３の信号端子、当該一対の第３の信号端子の一側に配置された電源端子、および当該一対の第３の信号端子の他側に配置された第３のグランド端子からなる構成としてもよい。
【発明の効果】
【００１７】
本発明によれば、コネクタにより伝送する複数対の差動信号のクロストークを抑制することができる。
【図面の簡単な説明】
【００１８】
【図１】本発明の実施形態のコネクタ、当該コネクタが取り付けられた基板、当該コネクタと接続される相手コネクタ、および相手コネクタに取り付けられたケーブルを示す斜視図である。
【図２】本発明の実施形態のコネクタを前方から見た外観図である。
【図３】本発明の実施形態のコネクタを左上後方から見た外観図である。
【図４】本発明の実施形態のコネクタの分解図である。
【図５】本発明の実施形態のコネクタの第１および第２の端子群を左上後方から見た説明図である。
【図６】本発明の実施形態のコネクタの第３の端子群を左上後方から見た説明図である。
【図７】本発明の実施形態のコネクタの第１、第２および第３の端子群の配置を示す説明図である。
【図８】図７中の第１、第２および第３の端子群を後方から見た説明図である。
【図９】図７中の第１、第２および第３の端子群を左方から見た説明図である。
【発明を実施するための形態】
【００１９】
本発明のコネクタの実施形態について説明する。なお、実施形態の説明において、説明の便宜上、コネクタの形状、配置または動作等に関し、前（Ｆ）、後（Ｂ）、左（Ｌ）、右（Ｒ）、上（Ｕ）、下（Ｄ）の方向を述べる際には、図中の右下に描いた矢印に従う。
【００２０】
本発明の実施形態のコネクタ１はレセプタクルであり、図１に示すように、基板９１に取り付けられる。図４に示すように、コネクタ１は、第１、第２および第３の端子群Ｇ１、Ｇ２、Ｇ３、ハウジング４１、前側シェル５１並びに後側シェル６１を備えている。
【００２１】
ハウジング４１は絶縁材料により略箱状に形成され、その前側には、図１に示すように、相手コネクタ９２の挿入部９３を挿入するための挿入穴４２が形成されている。なお、相手コネクタ９２にはケーブル９５が取り付けられている。また、コネクタ１のハウジング４１の内部には、第１、第２および第３の端子群Ｇ１〜Ｇ３が収容されている。また、図２に示すように、挿入穴４２の底面（後面）には、相手コネクタ９２の嵌合穴と嵌合する嵌合部４３が設けられている。嵌合部４３は、挿入穴４２の底面から前方へ突出している。また、嵌合部４３は、コネクタ１を前方から見たとき、上底が下底よりも短い略台形状に形成されている。また、嵌合部４３の下面には複数の端子収容溝が形成され、これら端子収容溝内には、第１および第２の端子群Ｇ１、Ｇ２の各端子１１〜１８の接触部３１が収容されている。また、嵌合部４３の上面にも複数の端子収容溝が形成され、これら端子収容溝内には、第３の端子群Ｇ３の各端子１９〜２２の接触部３１が収容されている。コネクタ１の挿入穴４２内に相手コネクタ９２の挿入部９３が挿入されたときには、コネクタ１の嵌合部４３が相手コネクタ９２の挿入部９３の先端面に形成された嵌合穴内に嵌合し、コネクタ１の第１、第２および第３の端子群Ｇ１〜Ｇ３の各端子１１〜２２の接触部３１が、相手コネクタ９２の嵌合穴内に配置された各端子の接触部と接触する。また、図４に示すように、ハウジング４１の後側には複数の端子配置溝４４が形成されている。第１、第２および第３の端子群Ｇ１〜Ｇ３の各端子１１〜２２の後端側部分はハウジング４１の外部へ出て、端子配置溝４４内にそれぞれ配置される。
【００２２】
前側シェル５１は、導電材料により略角筒状に形成され、図１に示すように、ハウジング４１の前部に、挿入穴４２を取り囲むように取り付けられている。前側シェル５１の上壁、左壁および右壁は、ハウジング４１の前部の外側の上面、左面および右面を覆っており、前側シェル５１の下壁は、挿入穴４２内に入り、挿入穴４２内の下側の面を覆っている。
【００２３】
後側シェル６１は、導電材料により形成され、図３に示すように、ハウジング４１の後部に取り付けられている。後側シェル６１は、端子配置溝４４内にそれぞれ配置された各端子１１〜２２の後端側部分の後方であって各端子１１〜２２から若干離れた位置に配置され、各端子１１〜２２を覆っている。また、図４に示すように、後側シェル６１には、その左右の側壁からそれぞれ前方へ突出する一対の側板部６２が設けられ、各側板部６２には複数の接触片６３が設けられている。これら側板部６２および接触片６３は、ハウジング４１に形成された連通穴を通って、ハウジング４１の後方から挿入穴４２内に入り、図２に示すように、挿入穴４２内における左右の端側にそれぞれ配置される。側板部６２は、後側シェル６１をハウジング４１に取り付ける際に、接触片６３がハウジング４１に当たって変形しないように接触片６３を保護する機能を有している。
【００２４】
コネクタ１の挿入穴４２内に相手コネクタ９２の挿入部９３が挿入されたときには、挿入穴４２内の下側の面を覆っている前側シェル５１の下壁の上面、および挿入穴４２内における左右の端側にそれぞれ配置された接触片６３が、相手コネクタ９２の挿入部９３に設けられた相手シェル９４（図１参照）と接触する。また、前側シェル５１および後側シェル６１は、下方に突出する接続片５２、６４を有し、接続片５２、６４を介して基板９１に固定され、グランド回路に接続される。
【００２５】
図５に示すように、第１の端子群Ｇ１は４本の端子１１〜１４からなり、第２の端子群Ｇ２は４本の端子１５〜１８からなる。また、図６に示すように、第３の端子群Ｇ３は４本の端子１９〜２２からなる。各端子１１〜２２は、導電材料、例えば銅合金等の金属材料により、細長い略板状に形成されている。各端子１１〜２２の前端側には、相手コネクタ９２の端子と接触する接触部３１が形成されている。第１および第２の端子群Ｇ１、Ｇ２の各端子１１〜１８においては、接触部３１の下面が相手コネクタ９２の端子と接触する。第３の端子群Ｇ３においては、接触部３１の上面が相手コネクタ９２の端子と接触する。また、各端子１１〜２２の後端側には、基板９１の回路に接続される接続部３２が形成されている。各端子１１〜２２の接続部３２は、図３に示すように、基板９１の回路にはんだ付けされる。
【００２６】
また、図９に示すように、各端子１１〜２２を左方または右方から見たときに、各端子１１〜２２は略クランク形の形状を有している。すなわち、各端子１１〜２２の接触部３１および接続部３２はそれぞれ前後方向に伸長している。また、各端子１１〜２２において接触部３１と接続部３２との間には、上下方向に伸長する上下伸長部３３が形成されている。また、各端子１１〜２２の前端には、各端子１１〜２２の前端側を嵌合部４３に形成された端子収容溝内に止めるための止め部３４が設けられている。また、各端子１１〜２２において、前後方向に伸長している前端側部分の後部の左面および右面には、各端子１１〜２２をハウジング４１に係止するための係止部３５が形成されている。
【００２７】
また、図５に示すように、第１の端子群Ｇ１の各端子１１〜１４において接触部３１と接続部３２との間には、接触部３１の側から接続部３２の側へ向かって左に傾斜する左傾斜部３６が形成されている。左傾斜部３６は、各端子１１〜１４の上下伸長部３３に形成されており、下に行くに連れて左に行くように傾斜している。本実施形態において、左傾斜部３６は、上下伸長部３３の伸長方向（上下方向）に対して例えば４５度傾斜している。各端子１１〜１４に左傾斜部３６が形成されていることにより、各端子１１〜１４において接続部３２が接触部３１よりも左方に変位している。また、第１の端子群Ｇ１において最左の端子１１の接続部３２の左面と最右の端子１４の接続部３２の右面との間の距離が、第１の端子群Ｇ１において最左の端子１１の接触部３１の左面と最右の端子１４の接触部３１の右面との間の距離よりも短くなっている。
【００２８】
また、第２の端子群Ｇ２の各端子１５〜１８において接触部３１と接続部３２との間には、接触部３１の側から接続部３２の側へ向かって右に傾斜する右傾斜部３７が形成されている。右傾斜部３７は、各端子１５〜１８の上下伸長部３３に形成されており、下に行くに連れて右に行くように傾斜している。本実施形態において、右傾斜部３７は、上下伸長部３３の伸長方向（上下方向）に対して例えば４５度傾斜している。各端子１５〜１８に右傾斜部３７が形成されていることにより、各端子１５〜１８において接続部３２が接触部３１よりも右方に変位している。また、第２の端子群Ｇ２において最左の端子１５の接続部３２の左面と最右の端子１８の接続部３２の右面との間の距離が、第２の端子群Ｇ２において最左の端子１５の接触部３１の左面と最右の端子１８の接触部３１の右面との間の距離よりも短くなっている。
【００２９】
また、図６に示すように、第３の端子群Ｇ３において左側に配置された２本の端子１９、２０のそれぞれにおいて、接触部３１と接続部３２との間には、接触部３１の側から接続部３２の側へ向かって右に傾斜する右傾斜部３８が形成されている。右傾斜部３８は各端子１９、２０の上下伸長部３３に形成されている。また、第３の端子群Ｇ３において右側に配置された２本の端子２１、２２のそれぞれにおいて、接触部３１と接続部３２との間には、接触部３１の側から接続部３２の側へ向かって左に傾斜する左傾斜部３９が形成されている。左傾斜部３９は各端子２１、２２の上下伸長部３３に形成されている。各端子１９、２０に右傾斜部３８が形成され、各端子２１、２２に左傾斜部３９が形成されていることにより、各端子１９、２０において接続部３２が接触部３１よりも右方に変位し、各端子２１、２２において接続部３２が接触部３１よりも左方に変位している。この結果、第３の端子群Ｇ３において最左の端子１９の接続部３２の左面と最右の端子２２の接続部３２の右面との間の距離が、第３の端子群Ｇ３において最左の端子１９の接触部３１の左面と最右の端子２２の接触部３１の右面との間の距離よりも短くなっている。
【００３０】
また、図８に示すように、端子１９の右傾斜部３８において、右縁ａ−ｂおよび左縁ｃ−ｄの上下伸長部３３の伸長方向（上下方向）に対する傾斜角はそれぞれ等しく例えば４５度であり、端子１９の右傾斜部３８は略平行四辺形の形状を有している。また、コネクタ１を後方から見たとき、端子１９の右傾斜部３８において、右縁ａ−ｂは、当該右傾斜部３８の前方に位置する端子１３、１４の左傾斜部３６の上端部（傾斜を開始する位置）と略対応する位置に配置され、左縁ｃ−ｄは、端子１３、１４の左傾斜部３６の下端部（傾斜を終了する位置）と略対応する位置に配置されている。これらの点は、端子２２の左傾斜部３９においても同様である。
【００３１】
また、第１、第２および第３の端子群Ｇ１〜Ｇ３の１２本の端子のうち、第３の端子群Ｇ３の最左および最右にそれぞれ位置する端子１９、２２を除く端子１１〜１８、２０、２１の接触部３１の左右方向の寸法はそれぞれ等しい。また、端子１１〜１８、２０、２１の上下伸長部３３の左右方向の寸法もそれぞれ等しい。また、各端子１９、２２の接触部３１の左右方向の寸法は、各端子１１〜１８、２０、２１の接触部３１の左右方向の寸法よりも大きい値、例えば、各端子１１〜１８、２０、２１の接触部３１の左右方向の寸法の２倍以上の値に設定されている。本実施形態においては、各端子１９、２２の接触部３１の左右方向の寸法が、各端子１１〜１８、２０、２１の接触部３１の左右方向の寸法の２倍の値に、等間隔に配置された端子１１〜１８の接触部３１間の間隔の大きさを加えた値に略等しい。また、各端子１９、２２の上下伸長部３３の左右方向の寸法も、各端子１１〜１８、２０、２１の上下伸長部３３の左右方向の寸法よりも大きい値、例えば、各端子１１〜１８、２０、２１の上下伸長部３３の左右方向の寸法の２倍以上の値に設定されている。
【００３２】
また、第１、第２および第３の端子群Ｇ１〜Ｇ３の各端子１１〜２２において、接続部３２は接触部３１よりも左右方向の寸法が小さい。すなわち、コネクタ１を基板９１に実装したときに接続部２２の周縁にはんだフィレットが形成されることを考慮して、接続部３２の左右方向の寸法を小さく設定し、接続部３２間に適切な間隔を確保するようにしている。
【００３３】
また、図５に示すように、第１の端子群Ｇ１の端子１１〜１４は、左右方向にそれぞれ隣接し、左右方向に一列に等間隔に配置され、それぞれ互いに平行である。また、これらの端子１１〜１４の左傾斜部３６は、図８に示すように、傾斜角度がそれぞれ等しく、端子１１〜１４の平行な位置関係は左傾斜部３６においても維持されている。第２の端子群Ｇ２の端子１５〜１８も、左右方向にそれぞれ隣接し、左右方向に一列に等間隔に配置され、それぞれ互いに平行である。また、これらの端子１５〜１８の右傾斜部３７は、傾斜角度がそれぞれ等しく、端子１５〜１８の平行な位置関係は右傾斜部３７においても維持されている。また、図６に示すように、第３の端子群Ｇ３の端子１９〜２２も、左右方向にそれぞれ隣接し、左右方向に一列に等間隔に配置されている。また、端子１９〜２２において、接触部３１はそれぞれ互いに平行であり、接続部３２はそれぞれ互いに平行である。
【００３４】
また、図２に示すように、第１の端子群Ｇ１の各端子１１〜１４の接触部３１は、前方視略台形状の嵌合部４３の下段（下底側）における左側に配置されている。また、第２の端子群Ｇ２の各端子１５〜１８の接触部３１は、嵌合部４３の下段（下底側）における右側に配置されている。また、第３の端子群Ｇ３の各端子１９〜２２の接触部３１は、嵌合部４３の上段（上底側）における中央部に配置されている。また、図７に示すように、各端子１９〜２２の上下伸長部３３は、各端子１１〜１８の上下伸長部３３よりも後方に配置されている。
【００３５】
また、図２に示すように、端子１１〜１８の接触部３１はそれぞれ等しい間隔を置いて配置されている。また、第３の端子群Ｇ３の中央において互いに隣接している端子２０、２１のそれぞれの接触部３１は、端子１１〜１８の接触部３１の間隔と等しい間隔を置いて配置されている。また、第１の端子群Ｇ１における最左の端子１１の接触部３１は第３の端子群Ｇ３における最左の端子１９の接触部３１よりも左方に位置している。また、第２の端子群Ｇ２における最右の端子１８の接触部３１は第３の端子群Ｇ３における最右の端子２２の接触部３１よりも右方に位置している。
【００３６】
また、端子１４の接触部３１の真上に端子２０の接触部３１が配置され、端子１５の接触部３１の真上に端子２１の接触部３１が配置されている。また、端子１２、１３の接触部３１の上方に端子１９の接触部３１が配置され、端子１２の接触部３１の左面の位置と端子１９の接触部３１の左面の位置とが左右方向において略一致しており、端子１３の接触部３１の右面の位置と端子１９の接触部３１の右面の位置とが左右方向において略一致している。また、端子１６、１７と端子２２との位置関係は、端子１２、１３と端子１９との位置関係と等しい。また、端子１１の上方には端子が存在せず、端子１８の上方にも端子が存在しない。
【００３７】
また、図３および図７に示すように、第１の端子群Ｇ１の各端子１１〜１４の接続部３２、第３の端子群Ｇ３の各端子１９〜２２の接続部３２、および第２の端子群Ｇ２の各端子１５〜１８の接続部３２は、ハウジング４１の後側または基板９１の回路上において、左から右へ向かってこの順序に一列に配置されている。すなわち、上述したように第１の端子群Ｇ１の各端子１１〜１４の接続部３２が左方に変位し、第２の端子群Ｇ２の各端子１５〜１８の接続部３２が右方に変位していることにより、第１の端子群Ｇ１の最右の端子１４の接続部３２と、第２の端子群Ｇ２の最左の端子１５の接続部３２との間の距離が拡大している。これら距離が拡大した端子１４と端子１５との間に、第３の端子群Ｇ３の端子１９〜２２が配置されている。この結果、端子１１〜１４、端子１９〜２２および端子１５〜１８の接続部３２が一列に配置されている。また、これら接続部３２は略等間隔に配置されている。
【００３８】
コネクタ１は、二対の高速差動信号および一対の低速差動信号の伝送と電源供給とを一括して行うコネクタとして用いることができる。この場合、第１の端子群Ｇ１において、左右方向中央の一対の端子１２、１３を一対の第１の高速差動信号を伝送する端子として用い、当該一対の端子１２、１３の左隣側および右隣側の端子１１、１４を第１の高速差動信号用のグランド端子として用いる。また、第２の端子群Ｇ２において、左右方向中央の一対の端子１６、１７を一対の第２の高速差動信号を伝送する端子として用い、当該一対の端子１６、１７の左隣側および右隣側の端子１５、１８を第２の高速差動信号用のグランド端子として用いる。また、第３の端子群Ｇ３において、左右方向中央の一対の端子２０、２１を一対の低速差動信号を伝送する端子として用い、当該一対の端子２０、２１の左隣側および右隣側の端子１９、２２のうちの一方の端子を電源端子として用い、他方の端子を一対の低速差動信号用および電源用のグランド端子として用いる。なお、高速差動信号は例えば５ＧＨｚまたはそれ以上の周波数を有する信号であり、低速差動信号は例えば５００ＭＨｚの周波数を有する信号である。４本の端子１１〜１４が隣接して左右一列に等間隔に平行に配置された第１の端子群Ｇ１により、一対の第１の高速差動信号を、両信号の位相や振幅の平衡性を保持しつつ伝送することができる。また、同様の端子構成を有する第２の端子群Ｇ２により、一対の第２の高速差動信号を、両信号の位相や振幅の平衡性を保持しつつ伝送することができる。また、左右方向の寸法が他の端子の左右方向の寸法よりも大きい端子１９、２２により、電流容量を大きくすることができ、大きな電流値（例えば３Ａ）を有する電源をコネクタ１を介して基板９１側またはケーブル９５側へ供給することができる。
【００３９】
以上、説明した通り、本発明の実施形態のコネクタ１においては、第１の端子群Ｇ１の各端子１１〜１４において接続部３２が接触部３１よりも左方に変位し、第２の端子群Ｇ２の各端子１５〜１８において接続部３２が接触部３１よりも右方に変位している。これにより、コネクタ１の後部または端子１１〜１８の後端側において、第１の端子群Ｇ１と第２の端子群Ｇ２とが互いに大きく離れている。したがって、コネクタ１の後部または端子１１〜１８の後端側において、第１の端子群Ｇ１により伝送される第１の高速差動信号と、第２の端子群Ｇ２により伝送される第２の高速差動信号との間にクロストークが発生することを抑制することができる。また、各端子１１〜１８が屈曲してその伸長方向が前後方向から上下方向に変化する部分ではクロストークが発生し易い。したがって、各端子１１〜１８が屈曲している部分で第１の端子群Ｇ１と第２の端子群Ｇ２とを離すことで、クロストークの抑制効果を高めることができる。
【００４０】
また、第１の端子群Ｇ１の各端子１１〜１４の接続部３２の群と、第２の端子群Ｇ２の各端子１５〜１８の接続部３２の群とが互いの大きく離れているので、基板９１の回路において、第１の高速差動信号を伝送する回路パターンと、第２の高速差動信号を伝送する回路パターンとを互いに離すことができる。これにより、基板９１の回路において、第１の高速差動信号と第２の高速差動信号との間のクロストークを抑制することができる。
【００４１】
また、コネクタ１において、第１の端子群Ｇ１の後端側と第２の端子群Ｇ２の後端側との間には、他の端子と比較して左右方向の寸法が大きく、電源端子または電源用のグランド端子として好適に用いることができる端子１９、２２が配置されている。第１の端子群Ｇ１と第２の端子群Ｇ２との間に、左右方向の寸法が大きい電源供給用の端子を配置することで、第１の端子群Ｇ１により伝送される第１の高速差動信号と、第２の端子群Ｇ２により伝送される第２の高速差動信号との間のクロストークを抑制することができる。すなわち、上記特許文献１に記載のコネクタにおいては、コネクタの後部（各端子の後端側）において高速差動信号を伝送する信号コンタクトの対同士が細い１本または２本のグランドコンタクトのみを挟んで配置されている。これに対し、本発明の実施形態のコネクタ１では、コネクタ１の後部（各端子１１〜２２の後端側）において、第１の高速差動信号を伝送する一対の端子１２、１３と、第２の高速差動信号を伝送する一対の端子１６、１７とが、左右方向に寸法の大きい電源供給用の端子１９、２２を含む端子群等を挟んで配置されている。これにより、本発明の実施形態のコネクタ１によれば、上記特許文献１に記載のコネクタおよびそれと同様の端子配置構造を有するコネクタと比較して、高速差動信号間のクロストークの抑制効果を高めることができる。
【００４２】
また、コネクタ１において、第１の端子群Ｇ１の各端子１１〜１４の上下伸長部３３には左傾斜部３６が形成され、第２の端子群Ｇ２の各端子１５〜１８の上下伸長部３３には右傾斜部３７が形成され、各端子１１〜１４の左傾斜部３６と各端子１５〜１８の右傾斜部３７とは互いに平行ではない。これにより、コネクタ１内において、第１の高速差動信号の伝送経路と第２の高速差動信号の伝送経路とを部分的にでも非平行とすることができ、第１の高速差動信号と第２の高速差動信号との間のクロストークを抑制することができる。
【００４３】
また、コネクタ１においては、コネクタ１が有する１２本のすべての端子１１〜２２の接続部３２が左右方向に一列に配置されている。これにより、各接続部３２の基板９１の回路へのはんだ付けを容易かつ確実に行うことができる。また、はんだ付け作業後に行う、はんだ付けの良否の検査を容易化することができる。
【００４４】
また、コネクタ１によれば、第１、第２および第３の端子群Ｇ１〜Ｇ３の各端子１１〜２２において、接続部３２の左右方向の寸法を接触部３１の左右方向の寸法よりも小さくしたことにより、隣接する接続部３２間の間隔を十分に確保することができる。これにより、はんだフィレットを考慮したインピーダンス設定を行うことができる。
【００４５】
また、コネクタ１においては、第３の端子群Ｇ３の各端子１９〜２２の接触部３１が第１および第２の端子群Ｇ１、Ｇ２の各端子１１〜１８の接触部３１よりも上方に位置し、第３の端子群Ｇ３の各端子１９〜２２の上下伸長部３３が第１および第２の端子群Ｇ１、Ｇ２の各端子１１〜１８の上下伸長部３３よりも後方に位置し、第１の端子群Ｇ１の各端子１１〜１４の左傾斜部３６が各端子１１〜１４の上下伸長部３３に形成され、第２の端子群Ｇ２の各端子１５〜１８の右傾斜部３７が各端子１５〜１８の上下伸長部３３に形成されている。これにより、例えば上記特許文献１に記載のコネクタと比較して、コネクタ１の前後方向の寸法を小さくすることができる。すなわち、上記特許文献１に記載のコネクタでは、同文献の図５に示すように、各コンタクトの交差部（傾斜部）が、コンタクトにおいてＸ方向（前後方向）に伸長している部分に形成されている。コンタクトにおける端子部を接触部よりもＹ方向（左右方向）のいずれか一方にずらすためには、交差部の長さをある程度長くしなければならない。交差部の長さが長くなると、コネクタがＸ方向に大きくなる。このため、特許文献１に記載のコネクタはコネクタの前後方向の寸法を小さくすることが難しい。これに対し、本発明の実施形態のコネクタ１によれば、左傾斜部３６および右傾斜部３７が形成されている箇所が各端子１１〜１８の上下伸長部３３であるので、左傾斜部３６および右傾斜部３７が長くなったとしても、それによりコネクタ１の前後方向の寸法は大きくならない。
【００４６】
また、コネクタ１では、第３の端子群Ｇ３において、各端子１９、２０の接続部３２が右方に変位し、各端子２１、２２の接続部３２が左方に変位していることにより、第３の端子群Ｇ３の最左の端子１９の接続部３２の左面と第３の端子群Ｇ３の最右の端子２２の接続部３２の右面との間の距離が縮小している。これにより、第３の端子群Ｇ３を第１の端子群Ｇ１と第２の端子群Ｇ２との間に配置することによるコネクタ１の左右方向の寸法の増加を抑えることができる。
【００４７】
また、コネクタ１において、第１の端子群Ｇ１の後端側と第２の端子群Ｇ２の後端側との間には第３の端子群Ｇ３の後端側が配置されている。これにより、第１の端子群Ｇ１の後端側と第２の端子群Ｇ２の後端側との間の空間を利用して、低速高速信号の伝送または電源の供給を行うことができる。したがって、二対の高速差動信号および一対の低速差動信号の伝送と電源供給とを一括して行う小型のコネクタを実現することができる。
【００４８】
また、コネクタ１においては、嵌合部４３が前方視略台形状に形成され、第１および第２の端子群Ｇ１、Ｇ２の各端子１１〜１８の接触部３１が嵌合部４３の下底側に配置され、第３の端子群Ｇ３の各端子１９〜２２の接触部３１が嵌合部４３の上底側に配置され、第１の端子群Ｇ１における最左の端子１１の接触部３１が第３の端子群Ｇ３における最左の端子１９の接触部３１よりも左方に位置し、第２の端子群Ｇ２における最右の端子１８の接触部３１が第３の端子群Ｇ３における最右の端子２２の接触部３１よりも右方に位置し、第３の端子群Ｇ３における最左および最右の端子１９、２２の接触部３１の左右方向の寸法が、端子１１〜１８、２０、２１のうちのいずれの端子の接触部３１の左右方向の寸法よりも大きい。この構成により、コネクタ同士の誤嵌合を防止可能な形状を有する嵌合部４３に、二対の高速差動信号の伝送および電源の供給等を行うための複数の端子の接触部３１を効率よく、コンパクトに配置することができる。
【００４９】
また、コネクタ１においては、第１および第２の端子群Ｇ１、Ｇ２の各端子１１〜１８の接触部３１、および第３の端子群Ｇ３において最左および最右の端子１９、２２を除く各端子２０、２１の接触部３１の左右方向の寸法がそれぞれ等しい。この構成により、コネクタ１の組立時に、各端子１１〜１８、２０、２１をハウジング４１に組み入れる際の押圧力を略均一化することができ、コネクタ１の組立作業を簡素化することができる。
【００５０】
また、コネクタ１においては、第１および第２の端子群Ｇ１、Ｇ２のそれぞれの端子１１〜１８の接触部３１がそれぞれ等しい間隔を置いて配置され、第３の端子群Ｇ３において中央に配置された端子２０、２１の接触部３１が、端子１１〜１８の接触部３１の間隔と等しい間隔を置いて配置され、第３の端子群Ｇ３における最左および最右の端子１９、２２のそれぞれの左右方向の寸法が各端子１１〜１８の接触部３１の左右方向の寸法の２倍の値に、それぞれの端子１１〜１８の接触部３１の間隔の大きさを加えた値と略等しい。この構成により、上下方向に向かい合う端子の位置を揃え、各端子１１〜２２を整然と配置することができる。したがって、コネクタ１の組立時において、各端子１１〜２２をハウジング４１に組み入れる工程を簡素化することができる。
【００５１】
なお、上記実施形態のコネクタ１では、第１および第２の端子群Ｇ１、Ｇ２を嵌合部４３の下段に配置し、第３の端子群Ｇ３を嵌合部４３の上段に配置したが、これらの配置を上下逆にしてもよい。
【００５２】
また、上記実施形態のコネクタ１では、第１の端子群Ｇ１のすべての端子１１〜１４の接続部３２を左方に変位させたが、第１の端子群Ｇ１の最右の端子１４の接続部３２のみ、または端子１３、１４の接続部３２のみ、あるいは端子１２〜１４の接続部３２のみを左方に変位させてもよい。同様に、第２の端子群Ｇ２のすべての端子１５〜１８の接続部３２を右方に変位させるのではなく、端子１５の接続部３２のみ、または端子１５、１６の接続部３２のみ、あるいは端子１５〜１７の接続部３２のみを左方に変位させてもよい。同様に、第３の端子群Ｇ３のすべての端子１９〜２２の接続部３２を左右方向に変位させるのではなく、例えば、端子１９の接続部３２のみを右方に変位さてもよいし、端子２２の接続部３２のみを左方に変位させてもよいし、端子１９、２２の接続部３２のみを右方、左方にそれぞれ変位させてもよい。
【００５３】
また、第３の端子群Ｇ３中に左右方向の寸法が大きい端子１９、２２を設けたが、これら端子１９、２２の左右方向の寸法を他の端子の左右方向の寸法と等しくしてもよい。また、コネクタ１に他の端子を追加してもよい。また、第３の端子群Ｇ３に２本の端子２０、２１を設けたが、これら端子２０、２１のうちの一方または双方を除去してもよい。また、上記実施形態では、コネクタ１により、二対の高速差動信号および一対の低速差動信号の伝送、並びに電源の供給を行う場合を例にあげたが、本発明はこれら以外に種々の信号の伝送等に用いることができる。
【００５４】
また、本発明は、請求の範囲および明細書全体から読み取ることのできる発明の要旨または思想に反しない範囲で適宜変更可能であり、そのような変更を伴うコネクタもまた本発明の技術思想に含まれる。
【符号の説明】
【００５５】
１  コネクタ
１１〜２２  端子
３１  接触部
３２  接続部
３３  上下伸長部
３６  左傾斜部
３７  右傾斜部
４１  ハウジング
Ｇ１〜Ｇ３  端子群
【図１】
2019192603.tif 000003
【図２】
2019192603.tif 000004
【図３】
2019192603.tif 000005
【図４】
2019192603.tif 000006
【図５】
2019192603.tif 000007
【図６】
2019192603.tif 000008
【図７】
2019192603.tif 000009
【図８】
2019192603.tif 000010
【図９】
2019192603.tif 000011